(57)【特許請求の範囲】
【請求項１】
印刷物の印刷に用いる色材を３の色材Ｃ (Cyan)，Ｍ（Magenta），Ｙ（Yellow）としたときに，色差限度見本を印刷する装置が，ＣＭＹの各色に生じる濃度変動のパターンを示す濃度変動パターン毎に，前記濃度変動パターンで示されるパターンの濃度変動が生じた際に印刷物上の指定ポイントに発生する色差を算出し，算出した色差が色差の許容範囲内になるか確認する処理を，濃度変動量を初期値から初めて濃度変動量を変更ながら実行することで，少なくとも一つの前記濃度変動パターンにおける色差が色差の許容範囲外になる直前の濃度変動量を色差限度見本用の濃度変動量として探索するステップ，前記装置が，前記濃度変動パターン毎に，前記濃度変動パターンで示されるパターンの濃度変動が前記色差限度見本用の濃度変動量で生じた時の印刷物を色差限度見本として印刷するステップを実行することを特徴とする色差限度見本の作成方法。
【請求項２】
前記濃度変動パターンを，３つの色材すべての色材の濃度が，濃くなる方向と薄くなる方向それぞれに濃度変動するパターンと，３つの色材の１つの色材の濃度が，濃くなる方向と薄くなる方向それぞれに濃度変動するパターンと，３つの色材の２つの色材の濃度が，濃くなる方向と薄くなる方向それぞれに濃度変動するパターンとしたことを特徴とする，請求項１に記載した色差限度見本の作成方法。
【請求項３】
印刷物の印刷に用いる色材を３の色材Ｃ (Cyan)，Ｍ（Magenta），Ｙ（Yellow）としたときに，ＣＭＹの各色に生じる濃度変動のパターンを示す濃度変動パターン毎に，前記濃度変動パターンで示されるパターンの濃度変動が生じた際に印刷物上の指定ポイントに発生する色差を算出し，算出した色差が色差の許容範囲内になるか確認する処理を，濃度変動量を初期値から初めて，濃度変動量を変更ながら実行することで，少なくとも一つの前記濃度変動パターンにおける色差が色差の許容範囲外になる直前の濃度変動量を色差限度見本用の濃度変動量として探索した後，前記濃度変動パターン毎に，前記濃度変動パターンで示されるパターンの濃度変動が前記色差限度見本用の濃度変動量で生じた時の印刷物を色差限度見本として印刷する手段を備えたことを特徴とする色差限度見本作成装置。
【請求項４】
前記濃度変動パターンを，３つの色材すべての色材の濃度が，濃くなる方向と薄くなる方向それぞれに濃度変動するパターンと，３つの色材の１つの色材の濃度が，濃くなる方向と薄くなる方向それぞれに濃度変動するパターンと，３つの色材の２つの色材の濃度が，濃くなる方向と薄くなる方向それぞれに濃度変動するパターンとしたことを特徴とする，請求項３に記載した色差限度見本作成装置。
【発明の詳細な説明】
【技術分野】
【０００１】
本発明は，色差のバラツキに対する許容限度を示す色差限度見本を作成する技術に関する。
【背景技術】
【０００２】
従来，カラープリンタで印刷する印刷物の納品基準を得意先と取り決める際，ＰＣＳ値（PCS: Print Contrast Signal）などの濃度を用いるのが一般的であったが，印刷物の色彩への要求が高まったことを受けて，最近では，カラープリンタで印刷する印刷物の納品基準の取り決めに色差を用いることが増えている。
【０００３】
印刷物の色差を管理する発明はすでに開示されており，例えば，特許文献１では，印刷見本上の所定の絵柄ポイントに，印刷見本における絵柄ポイントの色を基準とする色差の許容範囲を数値化して表示した色見本表示媒体が開示されている。
【０００４】
しかしながら，特許文献１の発明のように，印刷物の色差を数値管理しようとすると，カラープリンタで印刷した印刷物の色差を測定できる高額な測定装置（例えば，分光光度計）が必要となるばかりか，印刷物の色差を測定する作業負荷が問題になってしまう。
【０００５】
納品基準の取り決めに濃度を用いる場合，カラープリンタで印刷した印刷物の濃度を測定して印刷物の品質を検査できるが，印刷物の複数個所を濃度測定するのには手間がかかるため，濃度のバラツキに対する許容限度を示す濃度限度見本を作成し，作業者が印刷物と濃度限度見本を目視で比較することで，印刷物の品質を簡易的に検査している。
【０００６】
納品基準に色差を用いる場合も，色差のバラツキに対する許容限度を示す色差限度見本を作成し，作業者が印刷物と色差限度見本を目視で比較することで，印刷物の品質を簡易的に検査できればよいが，色差は，３つの方向性を有する３次元の色空間上の２点間の距離になるため，基準とする色に対して同じ色差になる色は無数に存在することになり，試行錯誤的にしか色差限度見本を作成できなかった。
【先行技術文献】
【特許文献】
【０００７】
【特許文献１】特開２０１１−２３０４１３号公報
【発明の概要】
【発明が解決しようとする課題】
【０００８】
そこで，本発明は，自動的に色差限度見本を作成できる方法および装置を提供することを目的とする。なお，特許文献１には，絵柄ポイントの色差限度見本を色見本表示媒体に添付することも記載されているが，色差限度見本の作成に係る詳細な記述はない。
【課題を解決するための手段】
【０００９】
上述した課題を解決する第１の発明は，印刷物の印刷に用いる色材を３の色材Ｃ (Cyan)，Ｍ（Magenta），Ｙ（Yellow）としたときに，色差限度見本を印刷する装置が，ＣＭＹの各色に生じる濃度変動のパターンを示す濃度変動パターン毎に，前記濃度変動パターンで示されるパターンの濃度変動が生じた際に印刷物上の指定ポイントに発生する色差を算出し，算出した色差が色差の許容範囲内になるか確認する処理を，濃度変動量を初期値から初めて濃度変動量を変更ながら実行することで，少なくとも一つの前記濃度変動パターンにおける色差が色差の許容範囲外になる直前の濃度変動量を色差限度見本用の濃度変動量として探索するステップ，前記装置が，前記濃度変動パターン毎に，前記濃度変動パターンで示されるパターンの濃度変動が前記色差限度見本用の濃度変動量で生じた時の印刷物を色差限度見本として印刷するステップを実行することを特徴とする色差限度見本の作成方法である。
なお，前記濃度変動パターンとしては，３つの色材すべての色材の濃度が，濃くなる方向と薄くなる方向それぞれに濃度変動するパターンと，３つの色材の１つの色材の濃度が，濃くなる方向と薄くなる方向それぞれに濃度変動するパターンと，３つの色材の２つの色材の濃度が，濃くなる方向と薄くなる方向それぞれに濃度変動するパターンにすることが望ましい。
【００１０】
更に，第２の発明は，印刷物の印刷に用いる色材を３の色材Ｃ (Cyan)，Ｍ（Magenta），Ｙ（Yellow）としたときに，ＣＭＹの各色に生じる濃度変動のパターンを示す濃度変動パターン毎に，前記濃度変動パターンで示されるパターンの濃度変動が生じた際に印刷物上の指定ポイントに発生する色差を算出し，算出した色差が色差の許容範囲内になるか確認する処理を，濃度変動量を初期値から初めて，濃度変動量を変更ながら実行することで，少なくとも一つの前記濃度変動パターンにおける色差が色差の許容範囲外になる直前の濃度変動量を色差限度見本用の濃度変動量として探索した後，前記濃度変動パターン毎に，前記濃度変動パターンで示されるパターンの濃度変動が前記色差限度見本用の濃度変動量で生じた時の印刷物を色差限度見本として印刷する手段を備えたことを特徴とする色差限度見本作成装置である。
なお，前記濃度変動パターンとしては，３つの色材すべての色材の濃度が，濃くなる方向と薄くなる方向それぞれに濃度変動するパターンと，３つの色材の１つの色材の濃度が，濃くなる方向と薄くなる方向それぞれに濃度変動するパターンと，３つの色材の２つの色材の濃度が，濃くなる方向と薄くなる方向それぞれに濃度変動するパターンにすることが望ましい。
【発明の効果】
【００１１】
少なくとも一つの濃度変動パターンにおける色差が色差の許容範囲外になる直前の濃度変動量は，色差が色差の許容範囲内ぎりぎり超えない濃度変動量と見なせることができ，この濃度変動量に応じた濃度変動が生じた時の印刷物を色差限度見本として利用しても差し支えないため，上述した発明によって自動的に色差限度見本を作成できるようになる。
【図面の簡単な説明】
【００１２】
【図１】本実施形態に係る色差限度見本作成装置を説明する図。
【図２】色差の算出対象とする濃度変動パターンを説明する図。
【図３】色差限度見本の作成方法を説明する図。
【発明を実施するための形態】
【００１３】
ここから，本発明の好適な実施形態を記載する。なお，以下の記載は本発明の技術的範囲を束縛するものでなく，理解を助けるために記述するものである。
【００１４】
図１は，本実施形態に係る色差限度見本作成装置１を説明する図である。本実施形態に係る色差限度見本作成装置１は，カラープリンタを利用して実現される装置で，本実施形態に係る色差限度見本作成装置１の制御装置１０には，色差限度見本の作成方法を実施するためのコンピュータプログラムが実装されている。
【００１５】
印刷物の印刷に用いる色はＣＭＹＫ(Cyan，Magenta，Yellow，Key Plate)の４色であるが，印刷物の色彩に影響を及ぼす色材はＣＭＹの３色になる。印刷物に印刷された色は，ＣＭＹに対応する３つの方向性を有する３次元の色空間（例えば，ＣＩＥが定めるＬＡＢ系の色空間）上の１点で表現することができ，色差は，色空間上の２点間の距離になる。このように，色差は，方向性を持たないスカラー値になるため，基準とする色に対して同じ色差になる色は無数に存在することになってしまう。
【００１６】
そこで，本実施形態の色差限度見本作成装置１は，濃度変動が生じたときに，印刷物上に指定された指定ポイントに発生する色差を算出し，算出した色差が色差の許容範囲内であるか確認する処理を，濃度変動量を初期値から初めて変更しながら行うことで，色差の許容範囲をぎりぎり超えない濃度変動量を探索し，探索した濃度変動量に応じた濃度変動が生じた時の印刷物を色差限度見本として印刷することで，自動的に色差限度見本を作成できるようにしている。
【００１７】
図２は，色差の算出対象とする濃度変動パターンを説明する図である。印刷物の色彩に係る色材はＫを除くＣＭＹの３つになるため，ＣＭＹの各色に生じる濃度変動を示す濃度変動パターンは，ＣＭＹそれぞれの方向を有する３次元の座標で表すことができる。図２では，色差の算出対象とする濃度変動パターンに該当する位置に黒丸を示し，図２を見ればわかるように，本実施形態では，濃度が濃くなる方向の濃度変動パターンと，濃度が薄くなる方向の濃度変動パターンのみを色差の算出対象としている。これは，実際の印刷において，ある色材の濃度が濃くなる方向に変動し，他の色材の濃度が薄くなる方向に濃度変動するケースは想定できないためである。なお，具体的には，濃度が濃くなる方向の濃度変動パターンと，濃度が薄くなる方向の濃度変動パターンは，以下の１４個のパターンになる。
・３つの色材（ＣＭＹ）すべての色材の濃度が，濃くなる方向と薄くなる方向それぞれに濃度変動する合計２パターン
・３つの色材（ＣＭＹ）の１つの色材の濃度が，濃くなる方向と薄くなる方向それぞれに濃度変動する合計６パターン
・３つの色材（ＣＭＹ）の２つの色材の濃度が，濃くなる方向と薄くなる方向それぞれに濃度変動する合計６パターン
【００１８】
図３は，本実施形態に係る色差限度見本作成装置１が実施する色差限度見本の作成方法を説明する図である。印刷見本を印刷する際，色差限度見本作成装置１には，ＣＭＹＫモードで作成された入稿データが入力される。色差限度見本作成装置１は，色差限度見本を印刷する際，まず，ＣＭＹＫモードの印刷データをＲＧＢモードに変換し，ＲＧＢモードに変換した入稿データに対応する印刷物の画像をディスプレイに表示して，指定ポイントとなる印刷物上の個所を作業者に選択させ，指定ポイントを特定する情報（例えば，座標値）を取得する（Ｓ１）。
【００１９】
次に，本実施形態に係る色差限度見本作成装置１は，指定ポイントの色に濃度変動を生じさせる濃度変動量を初期値に設定する（Ｓ２）。なお，濃度変動量は濃度値でもよいが，濃度変動量は係数（例えば，１％）とすることが好適である。
【００２０】
次に，本実施形態に係る色差限度見本作成装置１は，上述した１４個の濃度変動パターン毎に，この時の濃度変動量で濃度変動が生じた時の指定ポイントの色を算出する（Ｓ３）。この時の濃度変動量で濃度変動が生じた時の指定ポイントの色は，この時の濃度変動量に応じて，指定ポイントの色のＣＭＹの値を増加または減少した値になる。例えば，指定ポイントの色を（C=20,M=40,Y=60,K=0）とし，濃度変動量を１０％とした時，濃度変動量に応じた濃度変動が生じた時の指定ポイントの色として以下の１４個の色が得られる。
ＣＭＹすべてを＋１０％した色：(C=22, M=44, Y=66, K=0)
ＣＭＹすべてを−１０％した色：(C=18, M=36, Y=44, K=0)
Ｃのみを＋１０％した色：(C=22, M=40, Y=60, K=0)
Ｃのみを−１０％した色：(C=18, M=40, Y=60, K=0)
Ｍのみを＋１０％した色：(C=20, M=44, Y=60, K=0)
Ｍのみを−１０％した色：(C=20, M=36, Y=60, K=0)
Ｙのみを＋１０％した色：(C=20, M=40, Y=66, K=0)
Ｙのみを−１０％した色：(C=20, M=40, Y=44, K=0)
ＣとＭを＋１０％した色：(C=22, M=44, Y=60, K=0)
ＣとＭを−１０％した色：(C=18, M=36, Y=60, K=0)
ＣとＹを＋１０％した色：(C=22, M=40, Y=66, K=0)
ＣとＹを−１０％した色：(C=18, M=40, Y=44, K=0)
ＭとＹを＋１０％した色：(C=20, M=44, Y=66, K=0)
ＭとＹを−１０％した色：(C=20, M=36, Y=44, K=0)
【００２１】
次に，本実施形態に係る色差限度見本作成装置１は，上述した１４個の濃度変動パターン毎に，この時の濃度変動量で濃度変動が生じた時の指定ポイントの色と濃度変動が生じていない時の指定ポイントの色との色差を算出する（Ｓ４）。なお，色差を算出する際は，カラープリンタの色特性を記述したＩＣＣプロファイルが利用され，ＣＭＹＫで定義される指定ポイントの色は色空間の値に変換されることになる。
【００２２】
次に，本実施形態に係る色差限度見本作成装置１は，全ての濃度変動パターンにおいて，色差が色差の許容範囲内であるか確認する（Ｓ５）。
【００２３】
本実施形態に係る色差限度見本作成装置１は，全ての濃度変動パターンにおいて，色差が色差の許容範囲内であれば，濃度変動が大きくなるように濃度変動量を変更して（Ｓ８），濃度変動が生じた時の指定ポイントの色を算出する処理（Ｓ３）に戻る。
【００２４】
また，本実施形態に係る色差限度見本作成装置１は，少なくとも一つの濃度変動パターンにおいて，色差が色差の許容範囲外であれば，この時点の濃度変動量を色差限度見本用の濃度変動量とし，濃度変動パターン毎に，濃度変動パターンで示されるパターンの濃度変動が色差限度見本用の濃度変動量で生じた時の入稿データを色差限度見本用の印刷データとして生成する処理を行い，濃度変動パターン毎の色差限度見本用の印刷データを作成する（Ｓ６）。
【００２５】
次に，本実施形態に係る色差限度見本作成装置１は，ＣＭＹＫモードの入稿データを用いて印刷見本を印刷し，濃度変動パターン毎に作成した色差限度見本用の印刷データを用いて色差限度見本を印刷する（Ｓ７）。なお，濃度変動パターンの数は１４個になるため，１４枚の色差限度見本が印刷されることになる。
【００２６】
なお，少なくとも一つの濃度変動パターンにおける色差が色差の許容範囲外になるときの濃度変動量は，色差が色差の許容範囲をぎりぎり超えない濃度変動量と見なせることができ，この濃度変動量で濃度変動が生じた時の印刷物を色差限度見本として利用しても差し支えない。
【符号の説明】
【００２７】
１    色差限度見本作成装置
１０    色差限度見本作成装置の制御装置
【図１】
0006405962.tif 000002
【図２】
0006405962.tif 000003
【図３】
0006405962.tif 000004